(57)【要約】【課題】特別な設備や動力を要することなく簡易な構成で布巾や食器類を乾燥させることができる乾燥機能付き収納部を提供することを目的とする。【解決手段】台所に設置されるレンジフード２に連接される収納部１であって、収納部１は開閉部を有する函体からなり、収納部上端部はレンジフード２と連通しレンジフード２へ空気を排気する排気口４が設けられるとともに、収納部の下端部には空気を吸い込む吸気口５が設けられ、レンジフード内のファン１０を作動することで、吸気口５から空気を吸引しレンジフード２と連通する排気口４からレンジフード２へ空気を排気することにより、収納部内に空気を流通させ、収納部内に収納した物を強制対流により乾燥させる乾燥機能付き収納部により解決される。【選択図】    図１
2007289242.tif 000002
【特許請求の範囲】
【請求項１】
台所に設置されるレンジフードに連接される収納部であって、該収納部は開閉部を有する函体からなり、該収納部の上端部には前記レンジフードと連通しレンジフードへ空気を排気する排気口が設けられるとともに、該収納部の下端部には空気を吸い込む吸気口が設けられ、レンジフード内に設置されたファンを作動することで、前記吸気口から空気を吸引しレンジフードと連通する前記排気口からレンジフードへ空気を排気することにより、該収納部内に空気を流通させ、該収納部内に収納した物を強制対流により乾燥させる乾燥機能付き収納部。
【請求項２】
前記乾燥機能付き収納部の下端部の吸気口が該乾燥機能付き収納部の側面のうちレンジフードに面しない側面にあることを特徴とする請求項１に記載の乾燥機能付き収納部。
【請求項３】
前記乾燥機能付き収納部の内部に少なくとも１つ以上の棚板が設けられ、該棚板は通気部を有することを特徴とする請求項１又は請求項２のいずれかに記載の乾燥機能付き収納部。
【請求項４】
前記乾燥機能付きの収納部の内部に少なくとも１つ以上の布巾掛けが設けられたことを特徴とする請求項１又は請求項２のいずれかに記載の乾燥機能付き収納部。
【請求項５】
前記収納部の開閉部が開き戸になっていることを特徴とする請求項１又は請求項２のいずれかに記載の乾燥機能付き収納部。
【請求項６】
前記レンジフードが２４時間換気機能を有することを特徴とする請求項１乃至請求項５のいずれかに記載の乾燥機能付き収納部。
【請求項７】
台所に設置されるレンジフードに連接される収納部であって、該収納部は開閉部を有する函体からなり、該収納部の端部は前記レンジフードと連通しレンジフードへ空気を排気する排気口が設けられるとともに、該収納部のもう一方の端部には空気を吸い込む吸気口が設けられ、レンジフード内のファンを作動することで、前記吸気口から空気を吸引しレンジフードと連通する前記排気口からレンジフードへ空気を排気することにより、該収納部内に空気を流通させ、該収納部内に収納した物を強制対流により乾燥させる乾燥機能付き収納部。
【発明の詳細な説明】
【技術分野】
【０００１】
本発明は、台所内の被乾燥物の乾燥を行う，家庭用または業務用の台所用乾燥機能を有する収納部に関するものである。
【背景技術】
【０００２】
従来、濡れた布巾などは冷蔵庫や壁に固定した布巾掛けに掛けたりしている。また、濡れた食器類は食器かごなどに入れて乾燥させたりしている。図６（イ）（ロ）に従来の実施例を示す。８は布巾掛け、１１は布巾、１２は食器類、１３は食器かごである。
【０００３】
しかし、布巾掛けに布巾を掛けておくだけでは、乾燥機能がないため、布巾の乾燥は自然乾燥に任され、臭いの問題や不衛生感が問題となる。また、布巾掛けの先端で人間が目を突くという危険性もはらんでいる。
【０００４】
さらに、濡れた食器など濡れたままに放置しておくことも、カビの発生など衛生上問題がある。食器などは食器乾燥器により乾燥させることができるが、特別な設備や動力が必要となる。
【０００５】
【特許文献１】実開平５−２０６３６号公報
【特許文献２】実開平５−５１２２６号公報
【発明の開示】
【発明が解決しようとする課題】
【０００６】
そこで、特別な設備や動力を要することなく簡易な構成で布巾や食器類を乾燥させることができる乾燥機能付き収納部を提供することを目的とする。
【課題を解決するための手段】
【０００７】
上記の課題は、台所に設置されるレンジフードに連接される収納部であって、該収納部は開閉部を有する函体からなり、該収納部の上端部には前記レンジフードと連通しレンジフードへ空気を排気する排気口が設けられるとともに、該収納部の下端部には空気を吸い込む吸気口が設けられ、レンジフード内に設置されたファンを作動することで、前記吸気口から空気を吸引しレンジフードと連通する前記排気口からレンジフードへ空気を排気することにより、該収納部内に空気を流通させ、該収納部内に収納した物を強制対流により乾燥させる乾燥機能付き収納部によって解決される。
【０００８】
この乾燥機能付き収納部によれば、レンジフードに連接された収納部において、レンジフード内に設置されたファンを作動させることにより発生する負圧を利用することにより、収納部内に空気を流通させることで、収納部内に収納した物を強制対流により乾燥させることができ、レンジフード内に設置されているファンを利用することで収納部に特別な設備や動力を用いることなく簡易な方法で収納部内にある被乾燥物を乾燥させることができる。
【０００９】
また、上記の乾燥機能付き収納部において、乾燥機能付き収納部の下端部の吸気口が該乾燥機能付き収納部の側面のうちレンジフードに面しない側面にあるとよい。
【００１０】
乾燥機能付き収納部の下端部の吸気口が該乾燥機能付き収納部の側面のうちレンジフードに面しない側面にあることで、レンジフードが排気することを目的とする調理部で加熱調理された際に発生する熱や蒸気、臭いなどが混じった空気が収納部へ取り込まれるのを防ぐことができ、室内側のきれいな空気を収納部内に取り込むことができる。
【００１１】
また、上記の乾燥機能付き収納部の内部に少なくとも１つ以上の棚板が設けられ、該棚板は通気部を有していればよい。
【００１２】
乾燥機能付き収納部の内部に通気部を有する棚板が設けられていることで、棚板に食器類を置いて乾燥させることができるとともに、収納部内の空気の流れを棚板により妨げることなく収納部内の空気の流れを確保することができる。また、複数の棚板を有することで、収納部内の食器類をきれいに整理することができる。
【００１３】
また、上記の乾燥機能付きの収納部の内部に少なくとも１つ以上の布巾掛けが設けられていればよい。
【００１４】
布巾掛けが設けられていることで、収納部内において布巾をきれいに整理して掛けることができるとともに、布巾の乾燥を効率的に行うことができる。
【００１５】
さらに、乾燥機能付きの収納部の開閉部が開き戸になっていればよい。
【００１６】
乾燥機能付きの収納部の開閉部が開き戸になっていることで、収納部内に布巾類や食器類の収納が容易になるばかりでなく、収納部の密閉性も向上し、効果的に空気を収納部内で流通させることができ、乾燥効率を上げることができる。
【００１７】
また、レンジフードが２４時間換気機能を有しているとよい。
【００１８】
レンジフードが２４時間換気機能を有していると、レンジフード内のファンは２４時間作動しているため、乾燥機能付き収納部１は２４時間連続して作動するファンの負圧により、２４時間連続して空気の流れが発生し、収納部内は常に空気が流通することにより、常に収納部内は強制対流による乾燥状態となり効果的に乾燥が行われ、レンジフード内に設置されているファンを利用することで収納部に特別な設備や動力を用いることなく簡易な方法で収納部内にある被乾燥物を乾燥させることができる。
【００１９】
また、台所に設置されるレンジフードに連接される収納部であって、該収納部は開閉部を有する函体からなり、該収納部の端部は前記レンジフードと連通しレンジフードへ空気を排気する排気口が設けられるとともに、該収納部のもう一方の端部には空気を吸い込む吸気口が設けられ、レンジフード内のファンを作動することで、前記吸気口から空気を吸引しレンジフードと連通する前記排気口からレンジフードへ空気を排気することにより、該収納部内に空気を流通させ、該収納部内に収納した物を強制対流により乾燥させる乾燥機能付き収納部であってもよい。
【００２０】
この乾燥機能付き収納部によれば、レンジフードに連接された収納部において、レンジフード内に設置されたファンを作動させることにより発生する負圧を利用することにより、収納部内に空気を流通させることで、収納部内に収納した物を強制対流により乾燥させることができ、レンジフード内に設置されているファンを利用することで収納部に特別な設備や動力を用いることなく簡易な方法で収納部内にある被乾燥物を乾燥させることができ、さまざまなキッチンの形状に合わせて乾燥機能付き収納部を設置することができる。
【発明の効果】
【００２１】
本発明は以上のとおりであるから、特別な設備や動力を要することなく簡易な構成で布巾類や食器類を乾燥させることができる乾燥機能付き収納部を提供することができる。
【発明を実施するための最良の形態】
【００２２】
次に、本発明の実施最良形態を図面に基づいて説明する。
【００２３】
図１乃至図３に示す第１実施形態において、１は乾燥機能付き収納部、１ａは開き戸、２はレンジフード、３はコンロ、４は排気口、５は吸気口、６は吸気口蓋、７は棚板、８は布巾掛けである。
【００２４】
コンロ部、調理部、シンク部、レンジフードなどからなるシステムキッチンにおいて、換気機能付き収納部１はレンジフード２に連接して設けられる。図２（ロ）に示すように、換気機能付き収納部１は縦方向に伸びた略直方体からなる内部が空洞の函体で、その上端部でレンジフードと接する面には、レンジフードに連通する排気口４が設けられ、その下端部でレンジフードのある側と反対の側面には吸気口５が設けられるとともに、吸気口５を開閉させるための吸気口蓋６が移動可能に取り付けられている。この吸気蓋６を調節することにより、吸気口５からの空気の流量を調節したり、空気の流入を止めたりすることができる。
【００２５】
また、換気機能付き収納部１の前面には片開き式の開き戸１ａが設けられており、開き戸１ａを自由自在に開閉することができ、前面より自由に布巾や食器類を出し入れすることができる。さらに、換気機能付き収納部１の枠体において開き戸との接触面には気密パッキンが布設され、開き戸１ａを閉めた状態で、開き戸１ａにより乾燥機能付き収納部１は気密パッキンにより密閉され開閉部からの空気の流出入がなく効果的に空気を収納部内で流通させることができる。
【００２６】
乾燥機能付き収納部１の内部は空洞となっており、その内部には棚板７及び布巾掛け８が設置されている。棚板７は、平面形状が乾燥機能付き収納部１の平面とほぼ同じ形状をしており、図２（ハ）に示すように平面部には通気のためのスリット７ａが複数設けられている。棚板７は乾燥機能付き収納部１の内部側面に設けられた突起部に載置して、乾燥機能付き収納部１の内部に棚板面が水平になるように取り付けられている。
【００２７】
図２（ニ）に棚板７の別の実施例を示す。棚板７の平面部には通気のための穴が穿設されている。
【００２８】
図２（ホ）に示すように、布巾掛け８は、壁面に取り付けられる支持部８ａに対し回動可能に支持される棒状の掛け部８ｂにより構成される。掛け部の長さは布巾を掛けるのに十分な長さとなっており、支持部８ａ対して少なくとも1本以上の掛け部が取り付けられている。布巾掛け８は乾燥機能付き収納部１の内部の側面にビス、接着材、両面テープなどにより取り付けられている。
【００２９】
レンジフード２の乾燥機能付き収納部１と接する面には排気口４と連通するように開口が設けられており、乾燥機能付き収納部１内を流れる空気は排気口４を通ってレンジフード２の側へと流れていくことができる。
【００３０】
次に図３に基づいて乾燥機能付き収納部内の乾燥状況について説明する。図３（イ）（ロ）は乾燥状況を示す乾燥機能付き収納部１及びレンジフード２の断面正面図であり、（イ）は吸気口蓋を開いた状態、（ロ）は吸気口蓋を閉じた状態を示す。
【００３１】
レンジフード２内に設けられたファン１０は、コンロで加熱調理された際に発生する熱や蒸気、臭いなどが混じった空気を外部へ排出させるために設けられたものであり、調理時に適宜作動させるものである。
【００３２】
本実施形態において乾燥機能付き収納部１とレンジフードとは排気口４を介して連通しており、レンジフード内のファン１０を作動させることにより、ファン１０はレンジフード２の直下の空気を吸い込むだけでなく、レンジフード２の直下と乾燥機能付き収納部１を介してレンジフードと反対側にある空気を乾燥機能付き収納部１の下端部側面に設けられた吸気口５から吸い込み、乾燥機能付き収納部１内を通って排気口４を介してレンジフード２へと吸い込まれる。
【００３３】
また、乾燥機能付きの収納部の開閉部が開き戸になっていることで、収納部内に布巾類や食器類の収納が容易になるばかりでなく、換気機能付き収納部１の枠体において開き戸との接触面には気密パッキンが布設されているため収納部の密閉性も向上し、効果的に空気を収納部内で流通させることができ、乾燥効率を上げることができる。
【００３４】
この空気の流れによって乾燥機能付き収納部１内には空気の流れが発生し、乾燥機能付き収納部１内の布巾掛け８に掛けられた布巾や棚板７に置かれた食器などは空気の流れにより強制対流により乾燥される。つまり、空気の流れがない自然対流と比較して効率的に布巾や食器などを乾燥させることができる。
【００３５】
また、この空気の流れを発生させるため、乾燥機能付き収納部１をレンジフードに連接させただけであり、レンジフード内に設置されているファンを利用することで収納部に特別な設備や動力を必要とせず、簡易な方法で収納部内にある被乾燥物を乾燥させることができる。
【００３６】
また、乾燥機能付き収納部１の側面には吸気口５を開閉させるための吸気口蓋６が移動可能に取り付けられている。この吸気蓋６を調節することにより、吸気口５からの空気の流量を調節したり、空気の流入を止めたりすることができ、収納部内部にしまう濡れた布巾や食器の数にあわせて風量を調節したり、収納部内部に濡れたものがない場合や何もしまわないときには、吸気口蓋６を閉めておくことにより、ファン１０による負圧が乾燥機能付き収納部により削減されることなく、効果的にコンロ部の空気を吸気することが可能となる。
【００３７】
また、本実施形態においてレンジフードが２４時間換気機能を有していると、レンジフード内のファンは２４時間作動しているため、乾燥機能付き収納部１は２４時間連続して作動するファン１０の負圧により、２４時間連続して空気の流れが発生し、収納部内は常に空気が流通することにより、常に収納部内は強制対流による乾燥状態となり効果的に乾燥が行われ、レンジフード内に設置されているファンを利用することで収納部に特別な設備や動力を用いることなく簡易な方法で収納部内にある被乾燥物を乾燥させることができる。
【００３８】
次に第２の実施形態について、図４に基づき説明する。図４（イ）は、第２の実施形態を示す斜視図、図４（ロ）は、乾燥状況を示す乾燥機能付き収納部１及びレンジフード２の断面正面図である。なお、符号の説明等第１実施形態と同様の部分は説明を省略する。
【００３９】
換気機能付き収納部１は横方向に伸びた略直方体からなる内部が空洞の函体で、その一方の端部であるレンジフードと接する面には、レンジフードに連通する排気口４が設けられ、そのもう一方の端部には吸気口５が設けられている。
【００４０】
乾燥機能付き収納部１の内部は空洞となっている。乾燥機能付き収納部１とレンジフードとは排気口４を介して連通しており、レンジフード内のファン１０を作動させることにより、ファン１０はレンジフード２の直下の空気を吸い込むだけでなく、レンジフード２の直下と乾燥機能付き収納部１を介してレンジフードと反対側にある空気を乾燥機能付き収納部１の側面に設けられた吸気口５から吸い込み、乾燥機能付き収納部１内を通って排気口４を介してレンジフード２へと吸い込まれる。
【００４１】
この、乾燥機能付き収納部１によれば、レンジフード２に連接された収納部において、レンジフード２内のファン１０を作動させることにより発生する負圧を利用することにより、収納部内に空気を流通させることでレンジフード内に設置されているファンを利用することで収納部に特別な設備や動力を用いることなく簡易な方法で収納部内にある被乾燥物を乾燥させることができる。
【００４２】
また、乾燥機能付き収納部１の下端部の吸気口５が該乾燥機能付き収納部１の側面のうちレンジフードに面しない側面のあることで、室内側のきれいな空気を収納部内に取り込むことができ、レンジフード２が排気することを目的とする、レンジフードが排気することを目的とする調理部で加熱調理された際に発生する熱や蒸気、臭いなどが混じった空気が収納部へ取り込まれるのを防ぐことができる。
【００４３】
また、本実施形態においてレンジフードが２４時間換気機能を有していると、レンジフード内のファンは２４時間作動しているため、乾燥機能付き収納部１は２４時間連続して作動するファン１０の負圧により、２４時間連続して空気の流れが発生し、収納部内は常に空気が流通することにより、常に収納部内は強制対流による乾燥状態となり効果的に乾燥が行われ、レンジフード内に設置されているファンを利用することで収納部に特別な設備や動力を用いることなく簡易な方法で収納部内にある被乾燥物を乾燥させることができる。
【００４４】
以上に、本発明の実施形態を示したが、本発明はこれに限られるものではなく、発明思想を逸脱しない範囲で各種の変更が可能である。例えば、第１の実施形態では吸気口は乾燥機能付き収納部の下端部でレンジフードのある側と反対の側面にある場合を説明したが、その位置に限定されるわけではなく、図５に示すように乾燥機能付き収納部の底面にあってもよいし、また下端部の他の側面にあってもよい。
【図面の簡単な説明】
【００４５】
【図１】図１（イ）は第１実施形態を示す斜視図である。
【図２】図２（ロ）は乾燥機能付き収納部を示す断面斜視図、（ハ）（二）は棚板を示す斜視図、（ホ）は布巾掛けを示す斜視図である。
【図３】図３は、乾燥状況を示す乾燥機能付き収納部１及びレンジフード２の断面正面図であって、（イ）は吸気口蓋を開いた状態、（ロ）は吸気口蓋を閉じた状態を示す。
【図４】図４（イ）第２の実施形態を示す斜視図、（ハ）はその乾燥状況を示す乾燥機能付き収納部１及びレンジフード２の断面正面図である。
【図５】図５は他の実施例の乾燥状況を示す乾燥機能付き収納部１及びレンジフード２の断面正面図である。
【図６】図６は従来例を示す斜視図であって、（イ）は布巾掛け、（ロ）は食器かごである。
【符号の説明】
【００４６】
１・・・乾燥機能付き収納部
１ａ・・開き戸
２・・・レンジフード
４・・・排気口
５・・・吸気口
７・・・棚板
８・・・布巾掛け
１０・・・ファン
【図１】
2007289242.tif 000003
【図２】
2007289242.tif 000004
【図３】
2007289242.tif 000005
【図４】
2007289242.tif 000006
【図５】
2007289242.tif 000007
【図６】
2007289242.tif 000008